(57)【要約】本発明は、ラチス支持構造を折り畳み、且つ、展開することができるように、ラチス材がお互いに連結され、人を退避させるための退避手段がラチス支持構造上またはラチス支持構造内に配置される、相互接続されたラチス材を備えるラチス支持構造に関するものである。【選択図】図１
2011527389.tif 000002
【特許請求の範囲】
【請求項１】
ラチス支持構造を折り畳み、且つ、展開することができるように、ラチス材がお互いに連結される、相互接続されたラチス材(10)を備えるラチス支持構造であって、
人を退避させるための退避手段が、上記ラチス支持構造上または上記ラチス支持構造内に配置されていることを特徴とするラチス支持構造。
【請求項２】
請求項１記載のラチス支持構造において、
上記ラチス支持構造の長手方向に延びているラチス材(10)と、直接間接を問わず上記ラチス材(10)を連結するラチス材(20,30,50)とを備え、上記ラチス支持構造の長手方向に延びている上記ラチス材(10)の間隔を、上記ラチス支持構造が折り畳まれたときに減少させ、且つ、上記ラチス支持構造が展開されたときに増大させることができるように、上記連結ラチス材(20,30,50)が長手方向に延びているラチス材(10)と連結されていることを特徴とするラチス支持構造。
【請求項３】
請求項１又は２記載のラチス支持構造において、
上記退避手段は、少なくとも１つの梯子(40)によって形成されていることを特徴とするラチス支持構造。
【請求項４】
請求項３記載のラチス支持構造において、
上記少なくとも１つの梯子(40)が、上記ラチス支持構造の長手方向に延びているラチス材(10)の少なくとも１つに設けられていることを特徴とするラチス支持構造。
【請求項５】
請求項２〜４のいずれか１つに記載のラチス支持構造において、
上記ラチス支持構造の長手方向に延びている複数個のラチス材(10)が備えられ、且つ、これらのラチス材(10)のいくつか又はすべてに、退避手段が設けられていることを特徴とするラチス支持構造。
【請求項６】
請求項１〜５のいずれか１つに記載のラチス支持構造において、
上記退避手段は、少なくとも１つの梯子(40)と、上記梯子(40)に関連する、少なくとも１つの落下防止器、特に、少なくとも一部が上記梯子(40)に立っている人の占める空間を取り囲むロッド(65)を備えていることを特徴とするラチス支持構造。
【請求項７】
請求項１〜６のいずれか１つに記載のラチス支持構造において、
上記退避手段(70)が、少なくとも１つの位置において上記ラチス支持構造から突き出る、又は、上記ラチス支持構造の異なる位置をお互いに連結する、少なくとも１つの通路(70)を備えていることを特徴とするラチス支持構造。
【請求項８】
請求項７記載のラチス支持構造において、
少なくとも１つの姿勢において、上記通路(70)が、上記ラチス支持構造から又は上記ラチス支持構造へ向かって、垂直または斜めに延びることを特徴とするラチス支持構造。
【請求項９】
請求項７又は８記載のラチス支持構造において、
上記通路(70)は、少なくとも１つの姿勢において、上記ラチス支持構造と平行に延びていることを特徴とするラチス支持構造。
【請求項１０】
請求項１〜９のいずれか１つに記載のラチス支持構造において、
上記連結ラチス材(20,30,50)は、上記ラチス支持構造の１つの外表面または複数の外表面に設置されていることを特徴とするラチス支持構造。
【請求項１１】
請求項１〜１０のいずれか１つに記載のラチス支持構造において、
上記ラチス支持構造の長手方向に延びている上記ラチス材(10)は、上記ラチス支持構造の外縁部を形成することを特徴とするラチス支持構造。
【請求項１２】
請求項１〜１１のいずれか１つに記載のラチス支持構造において、
上記ラチス支持構造は、長手方向に反復される、長手方向に延びているラチス材(10)及び連結ラチス材(20,30,50)の構造を備えていることを特徴とするラチス支持構造。
【請求項１３】
請求項１〜１２のいずれか１つに記載のラチス支持構造において、
上記連結ラチス材(20,30,50)の少なくとも一部が、上記ラチス支持構造が展開された状態では、上記ラチス支持構造の長手方向に延びている上記ラチス材(10)の一方から他方へ、上記ラチス支持構造の長手方向に対して垂直に延びる連結ストラット(50)によって形成されていることを特徴とするラチス支持構造。
【請求項１４】
請求項１３記載のラチス支持構造において、
上記連結ストラット(50)は、それによって当該連結ストラットを折り畳まれた状態ないし展開された状態に調整することができる、少なくとも１つのジョイントを有していることを特徴とするラチス支持構造。
【請求項１５】
請求項１〜１４のいずれか１つに記載のラチス支持構造において、
上記ラチス支持構造の長手方向に間隔をおいて配置された連結ストラット(50)はお互いに連結されていることを特徴とするラチス支持構造。
【請求項１６】
請求項１〜１５のいずれか１つに記載のラチス支持構造において、
それによって上記連結ラチス材(10,20,50)を少なくとも１つの姿勢で固定することができるロッキング手段が備えられていることを特徴とするラチス支持構造。
【請求項１７】
請求項１〜１６のいずれか１つに記載のラチス支持構造において、
上記ラチス材のお互いの間隔を増大または減少させることができ、それによって上記ラチス支持構造が折り畳まれ又は展開されるように、上記連結ラチス材(10,20,50)及び／又は長手方向に延びているラチス材(10)の少なくとも２つに作用する手段が備えられていることを特徴とするラチス支持構造。
【請求項１８】
請求項１〜１７のいずれか１つに記載のラチス支持構造において、
上記ラチス支持構造は、お互いに入れ子にすることが可能に設計された、少なくとも２つの支持構造セグメントを備えていることを特徴とするラチス支持構造。
【請求項１９】
拡張できる構造、特に、請求項１〜１８のいずれか１つに記載のラチス支持構造を有するラチス支持構造において、
枢動可能に連結された部分の一方が突起を有し、且つ、枢動可能に連結された部分の他方が、上記一方の部分の上記突起が枢動可能に収容される、三方の壁で区画される溝を有するように、枢動可能な連結部が設計されている、枢動可能に配置されたラチス材を備えていることを特徴とするラチス支持構造。
【請求項２０】
請求項１９記載のラチス支持構造において、
上記ラチス材は、上記突起を一方の端部に有し、且つ、上記溝を他方の端部に有していること、又は、上記ラチス材は、溝若しくは突起を両端部に有していることを特徴とするラチス支持構造。
【請求項２１】
請求項１９又は２０記載のラチス支持構造において、
上記ラチス材を一定の回転姿勢で固定するブレーキ手段が備えられていることを特徴とするラチス支持構造。
【請求項２２】
請求項２１記載のラチス支持構造において、
上記ブレーキ手段は、ドラムブレーキ又はシューブレーキとして設計されていることを特徴とするラチス支持構造。
【請求項２３】
請求項２２記載のラチス支持構造において、
上記シューブレーキは、枢動可能に連結された部分の一方に配置され、且つ、ブレーキの作動と同時に、枢動可能に連結された部分の他方と接触する２つの突起を有していることを特徴とするラチス支持構造。
【発明の詳細な説明】
【技術分野】
【０００１】
本発明は、ラチス支持構造を折り畳み、且つ、展開することができるように、ラチス材がお互いに連結される、相互接続されたラチス材を備えるラチス支持構造に関するものである。
【背景技術】
【０００２】
かかるラチス支持構造は、従来技術で知られている。それらは、例えば、展開された状態において、すなわち、それらの稼動姿勢において、積載可能な且つ機械的に安定した構造の代表例であるという利点を有する支持構造として用いられることが可能である。これらのラチス支持構造の他の利点は、折り畳まれた状態において、比較的狭隘な空間しか必要とせず、従ってかなり簡単に格納したり、輸送したりすることができる点にある。
【０００３】
ラチス支持構造は、例えば、ラチス支持構造の長手方向に延び、連結ラチス材によって互いに連結されるラチス材で構成される従来技術により知られており、かかる従来技術では、ラチス支持構造の長手方向に延びているラチス材の間隔を、ラチス支持構造が折り畳まれたときには減少させ、且つ、ラチス支持構造が展開されたときには増大させることができるように、連結ラチス材が長手方向に延びているラチス材に連結されている。
【発明の概要】
【発明が解決しようとする課題】
【０００４】
ラチス支持構造の応用可能性が拡がるように、冒頭で言及した類のラチス支持構造を発展させることが、本発明の根本的な目的である。
【課題を解決するための手段】
【０００５】
この目的は、請求項１の特徴を備えているラチス支持構造によって解決される。人を退避させるための退避手段が、ラチス支持構造上またはラチス支持構造内に設けられている。
【０００６】
それ故、本発明は、例えば燃えているビル又は同様のものから人を退避させるために、ラチス支持構造を用いることができるという知識に基づいている。これらの退避手段を例えば梯子または同様のものとして設計することができる。
【０００７】
ラチス支持構造は、例えばビルまたは同様のものに堅固に取り付けることができるとともに、必要ならば、すなわち緊急時に、人を退避させるために展開させることができる。ラチス支持構造がかかる目的に不要である場合には、ラチス支持構造を建物の上に折り畳まれた状態で配置することができ、且つ、ラチス支持構造は、この状態では比較的狭隘な空間しか必要としない。
【０００８】
ラチス支持構造をビル又は同様のものに堅固に取り付けるのではなく、緊急時にこのような場所に移動させ、且つ、そこで設置及び展開させることも同様に考えられる。ラチス支持構造の十分な高さを得るために、ラチス支持構造を、長手方向に連結することが可能な、複数個のラチス支持構造セグメントで構成することが可能である。個々のセグメントの連結部は、例えばボルト継ぎ手または同様のものによって得られる。
【０００９】
少なくとも１つの梯子を、ラチス支持構造の長手方向に延びている少なくとも１つのラチス材に設けることが可能である。
【００１０】
各１つの梯子を、ラチス支持構造の長手方向に延びている各ラチス材に対応させることが考えられる。しかしながら、このことは必須ではない。
【００１１】
本発明のさらなる側面では、退避手段は、少なくとも１つの梯子と、梯子に対応する少なくとも１つの落下防止器と、特に、少なくとも一部が梯子に立っている人の占める空間を取り囲む多数のロッドとを備えている。この落下防止器は、ラチス支持構造または梯子またはその他の退避手段に例えば枢動可能に取り付けられること、及び、必要ならば外側に回転させることが可能であり、これにより上記落下防止器が実現される。
【００１２】
退避手段は、必ずしも梯子によって形成される必要はない。原理的には、例えば、ロッド、足場、手摺りなどのその他の退避手段を用いることが可能である。
【００１３】
本発明のさらなる側面では、退避手段は、少なくとも１つの姿勢においてラチス支持構造から突き出る、又は、ラチス支持構造の異なる位置をお互いに連結する、少なくとも１つの通路を備えている。
【００１４】
第１のケースでは、通路は、例えば退避すべきビルからラチス支持構造へ、それ故同様に設けられたさらなる退避手段へ、例えば梯子へ、人が移動することを可能にするのに役立つことができる。
【００１５】
第２の別のケースでは、ラチス支持構造の一つ位置からラチス支持構造の他の位置へ逃がすために設けられた通路が備えられている。この場合は、通路は、例えばラチス支持構造の外面に沿って、又は、ラチス支持構造の内部を通って延びることができる。この場合は、通路は、退避すべき人を、退避手段に例えばラチス支持構造のいくつかの梯子に亘って一様に割り振る働きをすることができる。
【００１６】
退避すべき人が、ラチス支持構造に容易に到達することができるように、又は、ラチス支持構造の一つの位置から他の位置へ逃れることができるように、少なくとも１つの姿勢において、通路がラチス支持構造から又はラチス支持構造へ向かって、垂直または斜めに延びている場合は特に有利である。
【００１７】
さらに、ラチス支持構造の少なくとも１つの姿勢において、通路はラチス支持構造と平行に延びることが可能である。この場合は、例えば輸送または格納目的のために、通路がラチス支持構造に寄り掛っているので、通路は非常に狭隘な空間しか必要としない。
【００１８】
連結ラチス材を、ラチス支持構造の１つの外表面または複数の外表面に設置することができる。ラチス支持構造の長手方向に延びているラチス材は、ラチス支持構造の外縁部を形成することができる。ラチス支持構造は、長方形の、正方形の、三角形の、若しくは、多角形の横断面又は同様のものを念頭に置いて設計することが可能である。
【００１９】
本発明のさらなる側面では、ラチス支持構造は、長手方向に反復される、長手方向に延びているラチス材および連結ラチス材から成る構造を備えている。
【００２０】
連結ラチス材の少なくとも一部は、ラチス支持構造が展開した状態では、ラチス支持構造の長手方向に延びているラチス材の一方から他方へ延びる連結ストラットによって形成されることが可能である。
【００２１】
連結ストラットは、それによって当該連結ストラットを折り畳まれた状態ないし展開された状態に調整することができる、少なくとも１つのジョイントを有することができる。
【００２２】
ラチス支持構造の長手方向に間隔をおいて配置された連結ストラットは、例えばロッド又は同様のものによって、お互いに連結されることができる。
【００２３】
連結ラチス材を少なくとも１つの姿勢で固定するためのロッキング手段を備えることが可能である。このようにして、展開された状態ではラチス支持構造がこの姿勢のままであり、且つ、非意図的に崩れないことが確実になる。
【００２４】
さらに、ラチス材相互の間隔を増大させ又は減少させることが可能であり、それによってラチス支持構造が折り畳まれ又は展開されるように、連結ラチス材及び／又は長手方向に延びているラチス材の少なくとも２つに作用する手段を備えることが可能である。
【００２５】
結局、ラチス支持構造は、お互いに入れ子にすることができるように設計された少なくとも２つの支持構造セグメントを備えることが可能である。このようにして、支持構造建設物全体の所望の高さを非常に容易に得ることができる。お互いに入れ子にすることが可能である、２つ以上の支持構造セグメントを設けることができる。引っ張り出した後支持構造セグメントを展開し、その後、そこから当該支持構造セグメントが引っ張り出された同じ支持構造セグメントと連結することが考えられる。このようにして、原理的には、ラチス支持構造の所望の高さを得ることができる。
【００２６】
さらに、本発明は、拡張できる構造を有するラチス支持構造に関し、特に、枢動可能に連結された部分の一方が突起を有し、且つ、枢動可能に連結された部分の他方が、他の一方の部分の突起が枢動可能に収容される、三方の壁で区画される溝を有するように、枢動可能な連結部が設計された、枢動可能に配置されたラチス材を備えている、請求項１〜１８のいずれか１つに記載のラチス支持構造に関する。それ故、溝底部は境界としての役目を果たし、これにより、ラチス材の回転は上記部位の一方が溝底部に載るようになるまでのみ可能である。それ故、この姿勢では、ラチス材はブロックされ、及び／又は、さらなる回転が不可能となる。かかる枢動可能な連結部は、ラチス材の２つのセグメントが相互に枢動可能に連結される所、及び／又は、ラチス材がラチス支持構造の他の部分へ関節接合される所に設けることができる。
【００２７】
ラチス材は、その一方の端部に突起を、且つ、その他方の端部に言及された溝を有するようにしてもよい。このようにして、様々なラチス材をお互いに連結すること、及び／又は、異なる長さのラチス材を備えることができる。原理的には、ラチス材の両端に、溝または上記突起を備えるように設計することも考えられる。
【００２８】
ラチス材を一定の回転姿勢で固定するブレーキ手段及び／又は固定手段を備えることは特に有利である。ブレーキ装置は、例えば、ドラムブレーキ、ディスクブレーキ又はシューブレーキでもよい。ブレーキは、例えば、油圧作動または機械作動としてもよい。ブレーキは、２つの突起を有し、ブレーキの作動と同時に、例えば上記突起が各々隣接した部分に接触し、そして、このようにして最適な制動効果を提供するブレーキシューを備えることができる。
【００２９】
本発明のさらなる詳細及び利点は、図面に示されている実施形態を参照して、詳しく説明される。
【図面の簡単な説明】
【００３０】
【図１】本発明のラチス支持構造の展開された状態を示す透視図である。
【図２】折り畳まれた状態における、本発明のラチス支持構造の透視図である。
【図３ａ】展開された状態における、本発明のラチス支持構造の形態を示す図である。
【図３ｂ】展開された状態における、本発明のラチス支持構造の形態を示す図である。
【図３ｃ】展開された状態における、本発明のラチス支持構造の形態を示す図である。
【図３ｄ】展開された状態における、本発明のラチス支持構造の形態を示す図である。
【発明を実施するための形態】
【００３１】
図１は、本発明に係るラチス支持構造を示す透視図である。このラチス支持構造は、支持構造の横断面における矩形又は正方形の隅部を形成するように配置された、長手方向に延びているラチス材１０で構成されている。これらのラチス材１０の間には、それによって当該ストラット５０を内側及び外側に回転させることが可能なジョイントを有しているストラット５０が延びている。
【００３２】
これらの連結ストラットは、両側で、２つのラチス材１０に枢動可能に連結される。
【００３３】
さらに、一方の端部で、ラチス材１０の１つにそれぞれ枢動可能に連結され、且つ、他方の端部で、スライディングスリーブ２０’，３０’によって、さらなる、好ましくは隣接したラチス材１０上に配置される連結ラチス材２０，３０が備えられている。仮に、ラチス支持構造を図２に示す姿勢から展開しなければならない場合には、連結ストラット５０は、ロッド６０によって図１に示す姿勢となり、結果的に、長手方向に延びているラチス材１０が離れるとともに、ラチス支持構造が展開されることになる。
【００３４】
連結ラチス材２０，３０は同様に回転され、且つ、それらのスライディングスリーブ２０’，３０’はラチス材１０上を移動する。連結ストラット５０を広げるために、例えば、ロッド６０をモータ、油圧、空気圧または何か他の方法によって操作することが考えられる。
【００３５】
さらに図１及び図２から分かるように、梯子４０は、長手方向に延びているラチス材１０の各々に設けられており、かかる梯子は、長手方向に延びているラチス材１０と平行に、すなわちその全長に沿って延びている。
【００３６】
ロッド６５は梯子４０の１つに枢動可能に連結され、かかるロッドは、梯子４０に対して回転した状態で図１及び図２に示されている。図３ｂ、図３ｃ及び図３ｄから分かるように、これらのロッド６５は、梯子４０に立っている人のための落下防止器をそれらが形成するように、外側に回転されることが可能となっている。この落下防止器は、梯子４０に枢動可能に取り付けられるとともに長手方向に且つ梯子４０と平行に延びているロッドによって順番に連結される、分弧形状のセグメントによって形成されている。このようにして、梯子４０に立っている人のための保護物が形成される。
【００３７】
ラチス支持構造が、図２に示すような折り畳まれた姿勢から図１に示すような展開された姿勢へ動かされたときに、落下防止器またはロッド６５が自動的に展開されることも考えられる。
【００３８】
参照番号７０は、例えば図１及び図２からも分かるように、同様に枢動可能に梯子４０に取り付けられた、通路またはステップを示す。図１及び図２は、通路が落下防止器またはロッド６０及び梯子４０と平行に延びる内側回転状態における通路７０の状態を示す。
【００３９】
退避の状態では、通路７０は、水平に延びるように、また、好ましくはラチス支持構造、梯子４０及びそれ故に長手方向に延びているラチス材１０に対して垂直に延びるように、外側に回転される。このことは、例えば図３ｃに示されている。手摺りを備えた通路７０によって、人は退避すべき建物または同様のものから、ラチス支持構造の梯子４０のうちの１つへ安全に移動することができ、且つ、梯子４０によって降りることができる。図示された実施形態では、かかる通路７０を備えたラチス支持構造セグメントが示されている。原理的には、ラチス支持構造セグメントごとに、複数個のかかる通路７０を設けることも同様に考えられる。
【００４０】
図３ａ及び図３ｂは、図３ｃの設備を側面図で示しており、また、図３ｄは上面図で示している。
【００４１】
図示された実施形態とは別に、さらに、１つの落下防止器及び／又は１つの通路が、各またはいくつかの梯子４０にそれぞれ結合されるようにすることが可能である。
【００４２】
さらに図１及び図２から分かるように、ラチス支持構造及び／又は図示されたラチス支持構造セグメントは、同一のまたは異なる構成のラチス支持構造または支持構造エレメントに連結されるように設計されている。長手方向に延びているラチス材１０の端部に設置された連結手段この目的のために用いられる。それ故、図１、２及び３に示されているラチス支持構造を２つ以上お互いに連結し、このようにして所望の高さのラチス支持構造を提供することが考えられる。
【００４３】
さらに、入れ子にすることが可能であるように、ラチス支持構造セグメントを設計することが考えられる。この場合は、ラチス支持構造を、図１で示すラチス支持構造の内部に組み込み且つ引っ張り出し、場合により展開し、必要ならば、引っ張り出した後、図に示すラチス支持構造に連結するようにしてもよい。
【００４４】
しかしながら、本発明は、入れ子にすることが可能なラチス支持構造に限定されず、個々のセグメントが互いに接続され且つ展開されたときに互いに前後に連結されるラチス支持構造や、図示されたセグメントの１つのみで構成されるラチス支持構造も含む。
【図１】
2011527389.tif 000003
【図２】
2011527389.tif 000004
【図３ａ】
2011527389.tif 000005
【図３ｂ】
2011527389.tif 000006
【図３ｃ】
2011527389.tif 000007
【図３ｄ】
2011527389.tif 000008
【国際調査報告】
2011527389.tif 000009
2011527389.tif 000010
2011527389.tif 000011
2011527389.tif 000012
2011527389.tif 000013
2011527389.tif 000014